(57)【特許請求の範囲】
【請求項１】
被装着体に装着されたベルト体（３）と前記被装着体との間に、ポーチ本体（１）に設けられた取付部が挿入されることにより前記ベルト体（３）に取り付けられる釣り用ポーチであって、前記取付部が、前記ベルト体（３）と前記被装着体との間に挿入される際に受ける挿脱方向の力によって変形しないような剛性を有してなり、該取付部は、一端部において前記ポーチ本体（１）に取り付けられた取付用ベルト（２）であり、該取付用ベルト（２）は、基布（４）に合成樹脂製の補強シート（５）が取り付けられてなることを特徴とする釣り用ポーチ。
【請求項２】
ポーチ本体（１）に、釣り糸等の小物を収容可能な胴体（９）が設けられ、該胴体９の背面には、該背面の幅よりも幅狭で且つ背面と略同一の上下方向長さを有する背面布７が、該背面布７の長手方向の中心線が背面の上下方向の中心線に沿うように接着されており、基布（４）は背面布７と略同一形状で且つ同一の材質からなって前記背面布７の上端に連接されていることを特徴とする請求項１記載の釣り用ポーチ。
【発明の詳細な説明】
【０００１】
【発明の属する技術分野】
本発明は、釣り用ポーチに関し、特に、腰に巻装されるベルト等のベルト体に取り付けて携帯される釣り用ポーチに関するものである。
【０００２】
【従来の技術】
従来、釣り場においては、使用済の釣り糸等を収容するために、例えば、図５（イ）（ロ）に示すような、布製のポーチ本体１’と、携帯者の腰にズボンの上から巻装されたベルト体３’等に釣り用ポーチを取り付けるために前記ポーチ本体１’の一側面に設けられた布製の取付用ベルト２’とを備えた釣り用ポーチが使用されていた。
【０００３】
前記取付用ベルト２’の一端側は、ポーチ本体１’に縫着され、且つ自由端である  他端側は、ポーチ本体１’側の面に敷設された雄の面ファスナー８ａ’が、前記ポーチ本体１’の対応する位置に敷設された雌の面ファスナー８ｂ’に係合可能に構成されている。
【０００４】
かかる釣り用ポーチは、前記取付用ベルト２’の自由端を、前記ベルト体３’と携帯者の身体（ズボンの表面）との間に前記ベルト体３’の上方から下方側へ向けて差し込み、前記取付用ベルト２’を前記ベルト体３’と携帯者の身体との間の空隙に挿入し、且つ前記ベルト体３’の下端から突出する自由端を前記面ファスナー８ａ’，８ｂ’の係合によってポーチ本体１’に固定することにより、ベルト体３’に装着される。
【０００５】
【発明が解決しようとする課題】
しかしながら、上記従来の釣り用ポーチにあっては、前記取付用ベルト２’が布製であるため、ベルト体３’と身体の間に挿入する際に前記自由端がベルト体３’や身体に当接することにより受ける力によって取付用ベルト２’が撓み、挿入しづらいという問題があった。
【０００６】
特に、釣り場において、釣り人は釣り竿等の様々な荷物を携帯しているため、片手で作業をしなければならない場合もあり、非常に作業しづらく、更に、ベルト体３’と身体との間の空隙は非常に狭いため、取付用ベルト２’の自由端をベルト体３’の上端縁と身体との境界部分に突き当てて差し入れる必要があり、上記問題は避けられないものであった。
【０００７】
また、取付用ベルト２’を前記空隙部に挿入することにより釣り用ポーチをベルト体３’に取り付けた状態において、取付用ベルト２’が布製であるため、携帯者の身体の動き等によって撓みやすく安定感がなかった。
【０００８】
そこで、本発明は上記問題点に鑑み、腰に巻装されるベルト等のベルト体に、容易に、且つ安定した状態で取り付けることができる釣り用ポーチを提供することを課題とする。
【０００９】
【課題を解決するための手段】
本発明は上記課題を解決するためになされたもので、本発明は、被装着体に装着されたベルト体３と前記被装着体との間に、ポーチ本体１に設けられた取付部が挿入されることにより前記ベルト体３に取り付けられる釣り用ポーチであって、前記取付部が、前記ベルト体３と前記被装着体との間に挿入される際に受ける挿脱方向の力によって変形しないような剛性を有してなり、該取付部は、一端部において前記ポーチ本体１に取り付けられた取付用ベルト２であり、該取付用ベルト２は、基布４に合成樹脂製の補強シート５が取り付けられてなることを特徴とする。
【００１０】
本発明の釣り用ポーチは、上記構成からなるため、前記取付部を前記ベルト体３と被装着体との間に挿入する際に、前記取付部がベルト体３や被装着体に当接すること等により力を受けても撓むおそれがなく、また、挿入された状態において安定感がある。
【００１１】
また、上記構成によれば、取付用ベルト２の自由端を前記ベルト体３と被装着体との間に挿入して釣り用ポーチをベルト体３に取り付けることができ、且つ前記ベルト体３と被装着体との間の空隙が狭い場合であっても取付用ベルト２を挿入しやすく、しかも取付用ベルト２がベルト体３と被装着体との間に挿入された状態において、該取付用ベルト２はベルト体３及び被装着体に面接触するため、釣り用ポーチの動きや揺れを規制でき、より一層安定感が得られる。
さらに、基布４に補強シート５を取り付けるだけで取付用ベルト２を製造することができ、且つ布のソフト性と合成樹脂の剛性の両性質を備えた取付用ベルト２となる。
【００１２】
本発明の釣り用ポーチは、ポーチ本体１に、釣り糸等の小物を収容可能な胴体９が設けられ、該胴体９の背面には、該背面の幅よりも幅狭で且つ背面と略同一の上下方向長さを有する背面布７が、該背面布７の長手方向の中心線が背面の上下方向の中心線に沿うように接着されており、基布４は背面布７と略同一形状で且つ同一の材質からなって前記背面布７の上端に連接されていることを特徴としている。
【００１３】
【発明の実施の形態】
以下、本発明の実施の形態について、図面を参酌しつつ説明する。
【００１４】
本実施形態の釣り用ポーチは、図１（イ）（ロ）に示すように、釣り糸等の小物を収容可能な胴体９と、該胴体９の開口を開閉すべく胴体９の上部から前面にかけて設けられた蓋体１０とを備えてなる布製のポーチ本体１に、釣り用ポーチをベルト体に取り付けるための取付用ベルト２が設けられている。
【００１５】
前記胴体９の背面には、該背面の幅よりも幅狭で、且つ前記背面と略同一の上下方向長さを有する背面布７が、該背面布７の長手方向の中心線が前記背面の上下方向の中心線に沿うように接着されており、前記背面布７の上端には該背面布７と略同一形状で、且つ同一の材質からなる基布４が連接されている。即ち、前記背面布７と基布４とからなる背面ベルト６が、前記背面布７の一面側において胴体９に取り付けられ、且つ中央部（背面布７と基布４の境界）において折り返されることにより、前記背面布７の他面（外面）と、前記基布４の内面とが互いに向かい合うよう構成されている。
【００１６】
また、前記取付用ベルト２は、前記基布４の内面に、該基布４と略同一形状の合成樹脂製の補強シート５が接着されることにより形成されている。尚、補強シート５の材質は、特に限定されず、取付用ベルト２をベルト体３と被装着体との間にベルト体３の上方から下方に向けて挿入する際に、ベルト体３等に当接する等して取付用ベルト２が受ける上向き方向の力に対向できるだけの上下方向（挿脱方向）の剛性を、取付用ベルト２に付与できるものであればよい。
【００１７】
前記背面布７の外面側の下部には雌の面ファスナー８ｂが敷設され、且つ前記取付用ベルト２の内面側（前記背面布７と向かい合う側）の下部には、前記雌の面ファスナー８ｂに係合可能な雄の面ファスナー８ａが敷設されている。
【００１８】
次に、上記構成からなる釣り用ポーチを、例えば、被装着体としての携帯者の腰に巻装されたベルト体に取り付ける場合について説明すると、まず、図２に示すように、取付用ベルト２の自由端を、ベルト体３と携帯者Ａの身体（ズボンの表面）との間（以下「空隙Ｂ」という）にベルト体３の上端側から挿入する。
【００１９】
前記取付用ベルト２を、前記背面ベルト６の折返し部分（背面布７と基布４との境界）がベルト体３に掛止され、且つ自由端がベルト体３の下端側から突出するまで差し込んだ後、取付用ベルト２に敷設された雄の面ファスナー８ａを前記背面布７に敷設された雌の面ファスナー８ｂに係合させることにより釣り用ポーチを固定する。
【００２０】
このとき、本実施形態の釣り用ポーチは、取付用ベルト２が前記ベルト体３と前記被装着体との間に挿入される際に受ける挿脱方向の力によって変形しない程度の挿脱方向の剛性を有してなるため、携帯者Ａの身体やベルト体３に当接しても撓まず、前記空隙Ｂが非常に狭いにも拘わらず挿入しやすい。従って、携帯者Ａが片手で作業しなければならないような場合でも、容易に取付用ベルト２を空隙Ｂに挿入して釣り用ポーチをベルト体３に取り付けることができる。
【００２１】
また、空隙Ｂに挿入され、ベルト体３の下端から突出したベルト体３の自由端をポーチ本体１に固定するための固定手段が面ファスナー８ａ，８ｂであるため、互いの係合が容易且つ確実である。従って、釣り用ポーチのベルト体３への取付作業を容易且つ迅速に行なうことができる。
【００２２】
更に、取付用ベルト２が前記空隙Ｂに挿入された状態において、前記取付用ベルト２は、携帯者Ａの身体及びベルト体３に面接触するため、携帯者Ａは釣り用ポーチを携帯していることによる違和感を感じず、且つ携帯者Ａが身体を動かしても釣り用ポーチが揺れたり、動いたりしにくく、安定感があり、結果、携帯者は快適に釣り用ポーチを携帯することができる。
【００２３】
その後、釣り用ポーチをベルト体３から取り外す際には、前記雄の面ファスナー８ａと雌の面ファスナー８ｂとの係合を解除し、前記取付用ベルト２を前記ベルト体３と携帯者Ａとの間の空隙Ｂから抜くだけでよく、作業を迅速に行なえる。
【００２４】
尚、上記実施形態では、背面布６を胴体９の背面と略同一の上下方向長さに形成することにより、前記胴体９の背面の略上端から下端にかけて取り付けたが、前記背面布６の長さは特に限定されず、適宜設計変更可能である。例えば、ポーチ本体１の上下方向長さの２分の１の長さに形成し、前記ポーチ本体１の上半分に設けてもよい。本実施形態による場合には、前記胴体９の背面に直接前記雌の面ファスナー８ｂが敷設される。但し、上記実施形態の如く、背面布６を、胴体９の背面と略同一の上下方向長さに形成すれば、前記胴体９の背面が補強され、且つ背面布６に雌の面ファスナー８ｂを敷設することができるため、製造が容易である。
【００２５】
また、前記背面布６が設けられることは本発明において必須の要件ではなく、背面布７を設けることなく、前記基布４が直接胴体９に縫着されてなってもよい。但し、背面布７が設けられてなれば、ポーチ本体１の背面が補強されるとともに、前記背面ベルト６の折返し部（背面布６と基布４との境界）に相当する輪の部分においてベルト３に掛止されるため、基布４を直接胴体９に縫着した場合のように縫着部分に負担がかかるというおそれがない。
【００２６】
更に、上記実施形態では、前記取付用ベルト２のポーチ本体１への固定手段として雄雌の面ファスナー８ａ，８ｂを採用したが、前記固定手段は雄雌の面ファスナー８ａ，８ｂに限定されず、ボタンやスナップ、鉤ホック、磁石等も採用可能である。要は、空隙部Ｂ差し込まれ、ベルト体３の下端から突出した取付用ベルト２の自由端をポーチ本体１に固定できればよい。但し、上記実施形態の如く、雄雌の面ファスナー８ａ，８ｂであれば、係合が容易且つ確実である。
【００２７】
また、上記実施形態では、前記補強シート５を基布４の内面に接着したが、補強シート５は、基布４の外面に接着してもよく、また、筒状に形成された基布４内に挿入される構成であってもよい。要は、基布４に合成樹脂製の補強シート５を取り付けることによって、取付用ベルト２に、ベルト体３と被装着体との間に挿入される際に受ける挿脱方向の力によって変形しないような剛性を付与することができればよい。尚、前記布からなる基布４のみでは、前記剛性は得られず、ベルト体３と被装着体との間に挿入される際にベルト体３等に当接する等により受ける挿脱方向の力によって変形する（例えば、撓む）。
【００２８】
更に、上記実施形態では、取付用ベルト２が、基布４に補強シート５が取り付けられてなったが、取付用ベルト２は、皮革や、硬く織られた布等からなってもよく、また、例えば、図４に示すように、剛性を有する合成樹脂のみからなり、且つ取付け対象であるベルト体３の形状に沿いやすくすべく外側方向にわずかに湾曲したようなものも採用可能である。要は、取付用ベルト２が、ベルト体３と被装着体との間に挿入される際に受ける挿脱方向の力によって変形しないような剛性を有し、且つ挿入された状態において安定感が得られればよい。
【００２９】
また、上記実施形態では、取付部として取付用ベルト２を採用したが、取付部の形態は特に限定されず、該取付部が棒状体等に形成されてなるものも本発明の意図する範囲である。但し、上記実施形態の如く、取付用ベルト２（ベルト形状）に形成されてなれば、安定感がよく、且つ携帯者は違和感を感じずに快適に釣り用ポーチを携帯することができる。
【００３０】
更に、上記実施形態では、被装着体としての携帯者Ａの腰に巻装されたベルト体３としてのベルトに釣り用ポーチを取付ける場合について説明したが、本発明の釣り用ポーチが取り付けられるベルト体３はこれに限定れず、例えば、図３に示すような、被装着体としての釣り用バッグに装着されたベルト体３にも取付け可能である。
【００３１】
【発明の効果】
以上のように、本発明の釣り用ポーチは、取付部をベルト体と被装着体との間に挿入しやすいため、容易にベルト体に取り付けることができ、且つ取付状態において安定感がある。従って、例えば、釣り人が腰に巻装したベルト体に釣り用ポーチを取り付ける場合にあっても、作業を迅速且つ容易に行うことができ、且つ携帯中にも快適に釣りをすることができる。
【００３２】
特に、取付部が、一端部において前記ポーチ本体に取り付けられた取付用ベルトであれば、狭い空隙にも挿入しやすく、且つより一層取付状態における安定感を得ることができる。
【００３３】
また、取付用ベルトが、基布に合成樹脂製の補強シートが取り付けられてなれば、布地のソフト感を維持したまま剛性を得ることができ、且つ製造容易であるため、コストかからない。
【図面の簡単な説明】
【図１】（イ）は、本発明の一実施形態を示す概略側面図で、（ロ）は、同背面側概略斜視図。
【図２】同実施形態の使用状態の一例を示す概略斜視図。
【図３】同実施形態の使用状態の他例を示す概略斜視図。
【図４】（イ）は、本発明の他実施形態を示す概略側面図で、（ロ）は、同背面側概略斜視図。
【図５】（イ）は、従来の釣り用ポーチの一例を示す概略側面図で、（ロ）は、同背面側概略斜視図。
【符号の説明】
１─ポーチ本体          ２─取付用ベルト        ３─ベルト体
４─基布                ５─補強シート
【図１】
0004132243.tif 000002
【図２】
0004132243.tif 000003
【図３】
0004132243.tif 000004
【図４】
0004132243.tif 000005
【図５】
0004132243.tif 000006